(57)【要約】  右目用画像と左目用画像とのクロストークを抑制するとともに、書込み放電を安定させて、品質の高い立体画像を表示する。そのために、走査電極と維持電極とデータ電極とを有する放電セルを複数配列したプラズマディスプレイパネルと、プラズマディスプレイパネルを駆動する駆動回路とを備えたプラズマディスプレイ装置の駆動方法であって、複数のサブフィールドを有し右目用画像信号を表示する右目用フィールドと、複数のサブフィールドを有し左目用画像信号を表示する左目用フィールドとを交互に繰り返して右目用画像と左目用画像とをプラズマディスプレイパネルに交互に表示するとともに、右目用フィールドおよび左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置する。
2011045923.tif 000002
【特許請求の範囲】
【請求項１】
走査電極と維持電極とデータ電極とを有する放電セルを複数配列したプラズマディスプレイパネルと、前記プラズマディスプレイパネルを駆動する駆動回路とを備えたプラズマディスプレイ装置の駆動方法であって、
複数のサブフィールドを有し右目用画像信号を表示する右目用フィールドと、複数のサブフィールドを有し左目用画像信号を表示する左目用フィールドとを交互に繰り返して右目用画像と左目用画像とを前記プラズマディスプレイパネルに交互に表示するとともに、
前記右目用フィールドおよび前記左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置することを特徴とするプラズマディスプレイ装置の駆動方法。
【請求項２】
前記右目用フィールドおよび前記左目用フィールドに同期したタイミング信号を発生することを特徴とする請求項１に記載のプラズマディスプレイ装置の駆動方法。
【請求項３】
前記右目用フィールドおよび前記左目用フィールドの最初に配置されたサブフィールドの初期化期間では直前のサブフィールドの動作にかかわらず初期化放電を発生させる強制初期化動作を行い、それ以降に配置されたサブフィールドの初期化期間では直前のサブフィールドで書込み放電を行った放電セルで初期化放電を発生させる選択初期化動作を行うことを特徴とする請求項１に記載のプラズマディスプレイ装置の駆動方法。
【請求項４】
前記右目用フィールドおよび前記左目用フィールドのいずれかのフィールドにおいて、そのフィールドのいずれかのサブフィールドで書込み放電を行う放電セルでは、そのフィールドの最初に配置されたサブフィールドでも書込み放電を行うことを特徴とする請求項１に記載のプラズマディスプレイ装置の駆動方法。
【請求項５】
走査電極と維持電極とデータ電極とを有する放電セルを複数配列したプラズマディスプレイパネルと、前記プラズマディスプレイパネルを駆動する駆動回路とを備えたプラズマディスプレイ装置であって、
前記駆動回路は、複数のサブフィールドを有し右目用画像信号を表示する右目用フィールドと、複数のサブフィールドを有し左目用画像信号を表示する左目用フィールドとを交互に繰り返して右目用画像と左目用画像とを前記プラズマディスプレイパネルに交互に表示するとともに、
前記右目用フィールドおよび前記左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置して前記プラズマディスプレイパネルに前記右目用画像および前記左目用画像を表示することを特徴とするプラズマディスプレイ装置。
【請求項６】
前記駆動回路は、前記右目用フィールドおよび前記左目用フィールドに同期したタイミング信号を出力するタイミング信号出力部を有することを特徴とする請求項５に記載のプラズマディスプレイ装置。
【請求項７】
走査電極と維持電極とデータ電極とを有する放電セルを複数配列したプラズマディスプレイパネルと、
複数のサブフィールドを有し右目用画像信号を表示する右目用フィールドと、複数のサブフィールドを有し左目用画像信号を表示する左目用フィールドとを交互に繰り返して右目用画像と左目用画像とを前記プラズマディスプレイパネルに交互に表示するとともに、前記右目用フィールドおよび前記左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置して前記プラズマディスプレイパネルに前記右目用画像および前記左目用画像を表示する駆動回路と、
前記右目用フィールドおよび前記左目用フィールドに同期したタイミング信号を出力するタイミング信号出力部とを有するプラズマディスプレイ装置と、
前記タイミング信号出力部から出力された前記タイミング信号を受信する受信部と右目用シャッタおよび左目用シャッタを有し、前記タイミング信号にもとづき前記右目用シャッタおよび前記左目用シャッタを開閉するシャッタ眼鏡とを備えたことを特徴とするプラズマディスプレイシステム。
【発明の詳細な説明】
【技術分野】
【０００１】
本発明は、シャッタ眼鏡を用いて立体視することができる右目用画像と左目用画像とを、プラズマディスプレイパネルに交互に表示するプラズマディスプレイ装置の駆動方法、プラズマディスプレイ装置およびプラズマディスプレイシステムに関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。【０００３】
パネルを駆動する方法としては、１フィールド期間を複数のサブフィールドに分割した上で、発光させるサブフィールドの組合せによって階調表示を行うサブフィールド法が一般的である。各サブフィールドは、初期化期間、書込み期間および維持期間を有する。【０００４】
初期化期間では初期化放電を発生し、続く書込み動作に必要な壁電荷を形成する初期化動作を行う。初期化動作には、直前のサブフィールドの動作にかかわらず初期化放電を発生させる強制初期化動作と、直前のサブフィールドで書込み放電を行った放電セルのみで初期化放電を発生させる選択初期化動作とがある。【０００５】
書込み期間では、表示する画像に応じて放電セルで選択的に書込み放電を発生し壁電荷を形成する。【０００６】
そして維持期間では、走査電極と維持電極とに交互に維持パルスを印加して維持放電を発生させ、対応する放電セルの蛍光体層を発光させることにより画像表示を行う。この維持放電による蛍光体層の発光は階調表示に関係する発光であり、強制初期化動作にともなう発光は階調表示に関係しない発光である。【０００７】
サブフィールド法の中でも最も低い階調である黒を表示する際の輝度を下げ、階調表示に関係しない発光を極力減らしてコントラストを向上させる駆動方法が検討されている。例えば特許文献１には、強制初期化動作を行う回数を１フィールドに１回とし、緩やかに変化する傾斜波形電圧を用いて強制初期化動作を行う駆動方法が開示されている。【０００８】
またこのようなパネルを用いて立体画像を表示する方法についても検討されている。その一つとして、複数のサブフィールドを、右目用画像を表示するサブフィールド群と左目用画像を表示するサブフィールド群とに分け、それぞれのサブフィールド群の最初のサブフィールドの書込み期間の開始に同期してシャッタ眼鏡のシャッタを開閉する方法が知られている（例えば、特許文献２参照）。【０００９】
このような方法によって立体視するためには、右目と左目とで異なった画像を見る必要がある。そのため、右目用シャッタおよび左目用シャッタを有するシャッタ眼鏡を用い、右目用画像を表示している期間では右目用シャッタを開くとともに左目用シャッタを閉じて、左目で右目用画像を見えなくする。左目用画像を表示している期間では左目用シャッタを開くとともに右目用シャッタを閉じて、右目で左目用画像を見えなくする。【００１０】
しかしながら、パネルで用いられている蛍光体は残光時間が長く、維持放電を終了した後も数ｍｓｅｃの間は残光が持続するという特性をもつ蛍光体材料も存在する。そのため、例えば、右目用画像を表示する期間が終了した後も、しばらくの期間、右目用画像が表示されることがある。以下、表示期間が終了した後も画像が表示される現象を「残像」と記す。【００１１】
そして、右目用画像の残像が消える前に左目用画像を表示すると、左目用画像に右目用画像が混じる現象が生じ、左目用画像の残像が消える前に右目用画像を表示すると、右目用画像に左目用画像が混じる現象が生じる。以下、このような現象を「クロストーク」と記す。そして、クロストークが発生すると立体視が困難になるといった課題があった。【００１２】
また、強制初期化動作の回数を減らした駆動方法では、書込み放電を安定して発生させるために必要な壁電荷の量およびプライミングの量は、サブフィールドの配列に大きく依存する。そしてプライミングの不足、壁電荷の減少等が発生すると、書込み放電が不安定となり、画像表示品質が低下するという課題もあった。
【先行技術文献】
【特許文献】
【００１３】
【特許文献１】特開２０００−２４２２２４号公報
【特許文献２】特開２０００−１１２４２８号公報
【発明の概要】
【００１４】
本発明は、走査電極と維持電極とデータ電極とを有する放電セルを複数配列したパネルと、パネルを駆動する駆動回路とを備えたプラズマディスプレイ装置の駆動方法であって、複数のサブフィールドを有し右目用画像信号を表示する右目用フィールドと、複数のサブフィールドを有し左目用画像信号を表示する左目用フィールドとを交互に繰り返して右目用画像と左目用画像とをパネルに交互に表示するとともに、右目用フィールドおよび左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置することを特徴とする。
【００１５】
この方法により、右目用画像と左目用画像とのクロストークを抑制するとともに、書込み放電を安定させて、品質の高い立体画像を表示することができるプラズマディスプレイ装置を実現することができる。
【００１６】
また本発明は、走査電極と維持電極とデータ電極とを有する放電セルを複数配列したパネルと、パネルを駆動する駆動回路とを備えたプラズマディスプレイ装置であって、駆動回路は、複数のサブフィールドを有し右目用画像信号を表示する右目用フィールドと、複数のサブフィールドを有し左目用画像信号を表示する左目用フィールドとを交互に繰り返して右目用画像と左目用画像とをパネルに交互に表示するとともに、右目用フィールドおよび左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置してパネルに右目用画像および左目用画像を表示することを特徴とする。
【００１７】
この構成により、右目用画像と左目用画像とのクロストークを抑制するとともに、書込み放電を安定させて、品質の高い立体画像を表示することができるプラズマディスプレイ装置を実現することができる。
【００１８】
また本発明のプラズマディスプレイシステムは、タイミング信号出力部から出力されたタイミング信号を受信する受信部と右目用シャッタおよび左目用シャッタを有し、タイミング信号出力部から出力されたタイミング信号にもとづき右目用シャッタおよび左目用シャッタを開閉するシャッタ眼鏡と、上述のプラズマディスプレイ装置とを備えるものである。
【図面の簡単な説明】
【００１９】
【図１】図１は、本発明の実施の形態１に用いるパネルの構造を示す分解斜視図である。
【図２】図２は、本発明の実施の形態１に用いるパネルの電極配列図である。
【図３】図３は、本発明の実施の形態１におけるプラズマディスプレイ装置の回路ブロック図とプラズマディスプレイシステムを示す図である。
【図４】図４は、本発明の実施の形態１におけるパネルの各電極に印加する駆動電圧波形図である。
【図５】図５は、本発明の実施の形態１におけるサブフィールド構成を示す模式図である。
【図６】図６は、本発明の実施の形態１におけるコーディングを示す図である。
【図７】図７は、本発明の実施の形態２におけるコーディングを示す図である。
【発明を実施するための形態】
【００２０】
以下、本発明の実施の形態におけるプラズマディスプレイ装置について、図面を用いて説明する。
【００２１】
（実施の形態１）
図１は、本発明の実施の形態１に用いるパネル１０の構造を示す分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。蛍光体層３５は、青色蛍光体としてＢａＭｇＡｌ１０Ｏ１７：Ｅｕを、緑色蛍光体としてＺｎ２ＳｉＯ４：Ｍｎを、赤色蛍光体として（Ｙ、Ｇｄ）ＢＯ３：Ｅｕをそれぞれ用いることができるが、もちろん上記蛍光体に限定されるものではない。
【００２２】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２３】
なお、パネル１０の構造は上述したものに限られるわけではなく、例えばストライプ状の隔壁を備えたものであってもよい。
【００２４】
図２は、本発明の実施の形態１に用いるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、例えばデータ電極Ｄｐ（ｐ＝３×ｑ：ｑはｍ／３以下の整数）を有する放電セルには赤の蛍光体が、データ電極Ｄｐ＋１を有する放電セルには緑の蛍光体が、データ電極Ｄｐ＋２を有する放電セルには青の蛍光体がそれぞれ蛍光体層３５として塗布されている。
【００２５】
図３は、本発明の実施の形態１におけるプラズマディスプレイ装置４０の回路ブロック図とプラズマディスプレイシステムを示す図である。プラズマディスプレイ装置４０は、走査電極２２と維持電極２３とデータ電極３２とを有する放電セルを複数配列したパネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。またプラズマディスプレイ装置４０は、視聴者が使用するシャッタ眼鏡４８、およびシャッタを開閉するタイミング信号をシャッタ眼鏡４８に出力するタイミング信号出力部４６を備えている。
【００２６】
画像信号処理回路４１は、右目用画像信号と左目用画像信号とをフィールド毎に交互に入力する。そして入力した右目用画像信号をサブフィールド毎の発光・非発光を示す右目用画像データに変換し、左目用画像信号をサブフィールド毎の発光・非発光を示す左目用画像データに変換する。データ電極駆動回路４２は、右目用画像データおよび左目用画像データをデータ電極Ｄ１〜データ電極Ｄｍのそれぞれに対応する書込みパルスに変換し、データ電極Ｄ１〜データ電極Ｄｍのそれぞれに印加する。
【００２７】
タイミング発生回路４５は、水平同期信号および垂直同期信号をもとにして各回路ブロックの動作を制御する各種のタイミング信号を発生し、それぞれの回路ブロックへ供給する。またシャッタ眼鏡４８のシャッタを開閉するタイミング信号をタイミング信号出力部４６に出力する。
【００２８】
タイミング信号出力部４６は、ＬＥＤ等の発光素子を用いて、タイミング信号を、例えば赤外線の信号に変換してシャッタ眼鏡４８に供給する。
【００２９】
走査電極駆動回路４３は、タイミング信号にもとづいて走査電極２２のそれぞれに駆動電圧波形を印加する。
【００３０】
維持電極駆動回路４４は、タイミング信号にもとづいて維持電極２３に駆動電圧波形を印加する。
【００３１】
シャッタ眼鏡４８は、タイミング信号出力部４６から出力されたタイミング信号を受信する受信部と、右目用液晶シャッタ４９Ｒおよび左目用液晶シャッタ４９Ｌを有し、タイミング信号にもとづいて右目用液晶シャッタ４９Ｒおよび左目用液晶シャッタ４９Ｌを開閉する。
【００３２】
次に、パネル１０を駆動するための駆動電圧波形とその動作について説明する。プラズマディスプレイ装置４０は、１フィールドを複数のサブフィールドに分け、サブフィールド毎に各放電セルの発光・非発光を制御するサブフィールド法によって階調表示を行う。本実施の形態において、視聴者は、複数のサブフィールドを有し右目用画像信号を表示する右目用フィールドと、複数のサブフィールドを有し左目用画像信号を表示する左目用フィールドとを交互に繰り返してパネル１０に表示される画像を、右目用フィールドおよび左目用フィールドに同期してシャッタの開閉を行うシャッタ眼鏡４８を用いて観賞する。このようにして、視聴者は、パネル１０に表示される画像を立体視する。そして、本実施の形態では、視聴者がちらつき（フリッカ）のない立体画像を観賞できるようにするために、フィールド周波数を通常の２倍の１２０Ｈｚに設定している。
【００３３】
右目用フィールドと左目用フィールドとは表示する画像信号が異なるだけであり、フィールドを構成するサブフィールドの数、各サブフィールドの輝度重み、サブフィールドの配列等、フィールドの構成は同じである。したがって、まず１つのフィールドの構成と各電極に印加する駆動電圧波形について説明する。
【００３４】
各フィールドは複数のサブフィールドを有し、それぞれのサブフィールドは初期化期間、書込み期間および維持期間を備える。
【００３５】
初期化期間では初期化放電を発生し、続く書込み放電に必要な壁電荷を各電極上に形成する初期化動作を行う。このときの初期化動作には、それまでの放電の有無にかかわらず強制的に初期化放電を発生させる強制初期化動作と、直前の書込み期間において書込み放電を行った放電セルのみで選択的に初期化放電を発生させる選択初期化動作とがある。
【００３６】
書込み期間では、発光させるべき放電セルで書込み放電を発生し壁電荷を形成する書込み動作を行う。
【００３７】
そして維持期間では、輝度重みに応じた数の維持パルスを表示電極対２４に交互に印加して、書込み放電を発生した放電セルで維持放電を発生させ、その放電セルを発光させる維持動作を行う。
【００３８】
本実施の形態においては、１フィールドを５つのサブフィールド（ＳＦ１、ＳＦ２、ＳＦ３、ＳＦ４、ＳＦ５）に分け、フィールドの最初に配置されたサブフィールドであるＳＦ１の初期化期間では強制初期化動作を行い、それ以降に配置されたサブフィールドであるＳＦ２〜ＳＦ５の初期化期間では選択初期化動作を行う。またサブフィールドのそれぞれは（１、１６、８、４、２）の輝度重みをもつ。このように、本実施の形態では、フィールドの最初に輝度重みの最も小さいサブフィールドを配置し、次に輝度重みの最も大きいサブフィールドを配置し、それ以降は輝度重みが順次小さくなるようにサブフィールドを配置し、フィールドの最後には輝度重みが２番目に小さいサブフィールドを配置している。
【００３９】
図４は、本発明の実施の形態１におけるパネル１０の各電極に印加する駆動電圧波形図であり、ＳＦ１からＳＦ３までの駆動電圧波形を示している。
【００４０】
強制初期化動作を行うＳＦ１の初期化期間の前半部では、データ電極Ｄ１〜データ電極Ｄｍに電圧０（Ｖ）を印加し、維持電極ＳＵ１〜維持電極ＳＵｎに電圧０（Ｖ）を印加する。そして走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜走査電極ＳＣｎと維持電極ＳＵ１〜維持電極ＳＵｎとの間、走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上に負の壁電圧が蓄積されるとともに、データ電極Ｄ１〜データ電極Ｄｍ上および維持電極ＳＵ１〜維持電極ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００４１】
初期化期間の後半部では、維持電極ＳＵ１〜維持電極ＳＵｎに正の電圧Ｖｅ１を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜走査電極ＳＣｎと維持電極ＳＵ１〜維持電極ＳＵｎとの間、走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。以上により、全ての放電セルに対して強制的に初期化放電を行う強制初期化動作が終了する。
【００４２】
続く書込み期間では、維持電極ＳＵ１〜維持電極ＳＵｎに電圧Ｖｅ２を印加し、走査電極ＳＣ１、走査電極ＳＣ２、・・・、走査電極ＳＣｎのそれぞれには電圧Ｖｃを印加する。
【００４３】
次に、１番目の走査電極ＳＣ１に負の電圧Ｖａの走査パルスを印加する。そして、データ電極Ｄ１〜データ電極Ｄｍのうち１行目に発光させるべき放電セルのデータ電極Ｄｋ（ｋ＝１〜ｍ）に正の電圧Ｖｄの書込みパルスを印加する。すると、書込みパルスを印加した放電セルのデータ電極Ｄｋ上と走査電極ＳＣ１上との交差部の電圧差は、外部印加電圧の差（Ｖｄ−Ｖａ）に、データ電極Ｄｋ上の壁電圧と走査電極ＳＣ１上の壁電圧との差が加算されたものとなり、放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００４４】
以下、走査電極ＳＣ２、走査電極ＳＣ３、・・・、走査電極ＳＣｎについて同様に書込み動作を行う。
【００４５】
続く維持期間では、まず走査電極ＳＣ１〜走査電極ＳＣｎに電圧Ｖｓの維持パルスを印加するとともに維持電極ＳＵ１〜維持電極ＳＵｎに電圧０（Ｖ）を印加する。すると書込み放電を起こした放電セルでは、走査電極ＳＣｉ上と維持電極ＳＵｉ上との電圧差が、電圧Ｖｓに走査電極ＳＣｉ上の壁電圧と維持電極ＳＵｉ上の壁電圧との差が加算されたものとなり、放電開始電圧を超える。そして、走査電極ＳＣｉと維持電極ＳＵｉとの間に維持放電が起こり、このとき発生した紫外線により蛍光体層３５が発光する。そして、走査電極ＳＣｉ上に負の壁電圧が蓄積され、維持電極ＳＵｉ上に正の壁電圧が蓄積される。さらに、データ電極Ｄｋ上にも正の壁電圧が蓄積される。書込み期間において書込み放電が起きなかった放電セルでは、維持放電は発生せず、初期化期間の終了時における壁電圧が保たれる。
【００４６】
続いて、走査電極ＳＣ１〜走査電極ＳＣｎには電圧０（Ｖ）を、維持電極ＳＵ１〜維持電極ＳＵｎには電圧Ｖｓの維持パルスをそれぞれ印加する。すると、維持放電を起こした放電セルでは、維持電極ＳＵｉ上と走査電極ＳＣｉ上との電圧差が放電開始電圧を超えるので、再び維持電極ＳＵｉと走査電極ＳＣｉとの間に維持放電が起こり、維持電極ＳＵｉ上に負の壁電圧が蓄積され、走査電極ＳＣｉ上に正の壁電圧が蓄積される。このようにして、輝度重みに応じた数の維持パルスを走査電極ＳＣ１〜走査電極ＳＣｎと維持電極ＳＵ１〜維持電極ＳＵｎとに交互に印加する。そして、書込み期間において書込み放電を起こした放電セルで維持放電を継続して発生させる。
【００４７】
そして、維持期間の最後には、電圧Ｖｒに向かって緩やかに上昇する傾斜波形電圧を走査電極ＳＣ１〜走査電極ＳＣｎに印加して、データ電極Ｄｋ上の正の壁電圧を残したまま、走査電極ＳＣｉ上および維持電極ＳＵｉ上の壁電圧を弱める。こうして、維持期間における維持動作が終了する。
【００４８】
選択初期化動作を行うＳＦ２の初期化期間では、維持電極ＳＵ１〜維持電極ＳＵｎに電圧Ｖｅ１を、データ電極Ｄ１〜データ電極Ｄｍに電圧０（Ｖ）をそれぞれ印加し、走査電極ＳＣ１〜走査電極ＳＣｎには電圧Ｖｉ４に向かって緩やかに下降する傾斜波形電圧を印加する。すると、直前のサブフィールドであるＳＦ１で維持放電を起こした放電セルでは微弱な初期化放電が発生し、走査電極ＳＣｉ上および維持電極ＳＵｉ上の壁電圧が弱められる。また、データ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、前のサブフィールドで維持放電を起こさなかった放電セルについては放電することはなく、前のサブフィールドの初期化期間終了時における壁電圧が保たれる。このように選択初期化動作は、直前のサブフィールドの書込み期間で書込み動作を行った放電セル、すなわち、直前のサブフィールドの維持期間で維持動作を行った放電セルに対して選択的に初期化放電を行う動作である。
【００４９】
続く書込み期間の動作はＳＦ１の書込み期間の動作と同様であるため説明を省略する。続く維持期間の動作も、維持パルスの数を除いてＳＦ１の維持期間の動作と同様である。続くＳＦ３〜ＳＦ５の動作は、維持パルスの数を除いてＳＦ２の動作と同様である。
【００５０】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｒ＝１９０（Ｖ）、電圧Ｖｅ１＝１２５（Ｖ）、電圧Ｖｅ２＝１３０（Ｖ）、電圧Ｖｄ＝６０（Ｖ）である。ただしこれらの電圧値は、単に一例を挙げたに過ぎず、パネル１０の特性やプラズマディスプレイ装置４０の仕様等に合わせて、適宜最適な値に設定することが望ましい。
【００５１】
次に、本実施の形態におけるプラズマディスプレイ装置４０のサブフィールド構成について再度説明する。図５は、本発明の実施の形態１におけるサブフィールド構成を示す模式図である。本実施の形態においては立体画像を表示するために、フィールド周波数を通常の２倍の１２０Ｈｚに設定し、右目用フィールドと左目用フィールドとを交互に配置する。１つのフィールドには、５つのサブフィールド（ＳＦ１、ＳＦ２、ＳＦ３、ＳＦ４、ＳＦ５）が配置されている。またサブフィールド（ＳＦ１、ＳＦ２、ＳＦ３、ＳＦ４、ＳＦ５）のそれぞれは（１、１６、８、４、２）の輝度重みをもつ。
【００５２】
このように、フィールドの最初に配置されるサブフィールドは輝度重みの最も小さいサブフィールドであり、２番目に配置されるサブフィールドは輝度重みの最も大きいサブフィールドであり、３番目に配置されるサブフィールドは輝度重みが２番目に大きいサブフィールドであり、４番目に配置されるサブフィールドは輝度重みが３番目に大きいサブフィールドであり、最後に配置されるサブフィールドは輝度重みが２番目に小さいサブフィールドである。また、フィールドの最初に配置されるサブフィールドの初期化期間では強制初期化動作を行い、それ以外のサブフィールドの初期化期間では選択初期化動作を行う。
【００５３】
シャッタ眼鏡４８の右目用液晶シャッタ４９Ｒおよび左目用液晶シャッタ４９Ｌは、タイミング信号出力部４６から出力されるタイミング信号を受信して、シャッタ眼鏡４８を以下のように制御する。シャッタ眼鏡４８の右目用液晶シャッタ４９Ｒは、右目用フィールドのＳＦ１の書込み期間の開始に同期してシャッタを開き、左目用フィールドのＳＦ１の書込み期間の開始に同期してシャッタを閉じる。また、左目用液晶シャッタ４９Ｌは、左目用フィールドのＳＦ１の書込み期間の開始に同期してシャッタを開き、右目用フィールドのＳＦ１の書込み期間の開始に同期してシャッタを閉じる。
【００５４】
このようにサブフィールドを配置するとともにシャッタ眼鏡４８を制御することにより、右目用画像と左目用画像とのクロストークを抑制するとともに、書込み放電を安定させて、品質の高い立体画像を表示することができる。以下に、その理由について説明する。
【００５５】
蛍光体の残光の強さは、蛍光体の発光時の輝度に比例し、一定の時定数で減衰するという特性を示す。維持期間における発光輝度は輝度重みの大きいサブフィールドほど高いので、残光を弱くするためにはフィールドの早い時期に輝度重みの大きいサブフィールドを配置することが望ましい。したがって、クロストークの抑制のみを考慮するのであれば、輝度重みの最も大きいサブフィールドから順にサブフィールドを配置することが望ましい。
【００５６】
一方、書込み放電の安定性について考えると、明るい階調を表示する放電セルでは複数のサブフィールドで維持放電を発生するので、これらの維持放電にともなう十分な量のプライミングが供給され、安定した書込み放電を発生させることができる。しかし、暗い階調、特に、最も輝度重みの小さいサブフィールドだけで発光させる放電セルでは、プライミングが不足して書込み放電が不安定となりやすい。
【００５７】
本実施の形態においては、初期化期間において強制初期化動作を行うＳＦ１に輝度重みの最も小さいサブフィールドを配置している。そのため、強制初期化動作で生じたプライミングが残存する間に書込み放電を発生させることができるので、最も輝度重みの小さいサブフィールドだけで発光させる放電セルであっても、安定した書込み放電を発生させることができる。また、それ以降は、輝度重みの最も大きいサブフィールドから輝度重みの大きい順にサブフィールドを配置している。そのため、蛍光体の残光を弱めてクロストークを抑制することができる。
【００５８】
次に、本実施の形態における階調の表示方法について説明する。図６は、本発明の実施の形態１における、表示すべき階調とそのときのサブフィールドの書込み動作の有無との関係（以下、「コーディング」と略記する）を示す図である。図６において、「１」は書込み動作を行うことを示し、「０」は書込み動作を行わないことを示している。
【００５９】
例えば、階調「０」、すなわち黒を表示する放電セルでは、ＳＦ１〜ＳＦ５の全てのサブフィールドで書込み動作を行わない。そうすると、その放電セルは、一度も維持放電しないので、輝度も最も低くなる。
【００６０】
また、階調「１」を表示する放電セルでは、輝度重み「１」をもつサブフィールドであるＳＦ１でのみ書込み動作を行い、それ以外のサブフィールドでは書込み動作を行わない。そうすると、その放電セルは、輝度重み「１」に応じた回数の維持放電を発生し、階調「１」の明るさを表示する。
【００６１】
また、階調「７」を表示する放電セルでは、輝度重み「１」をもつＳＦ１と、輝度重み「４」をもつＳＦ４と、輝度重み「２」をもつＳＦ５とで書込み動作を行う。そうすると、その放電セルは、ＳＦ１の維持期間に輝度重み「１」に応じた回数の維持放電を発生し、ＳＦ４の維持期間に輝度重み「４」に応じた回数の維持放電を発生し、ＳＦ５の維持期間に輝度重み「２」に応じた回数の維持放電を発生する。そのため、それらの合計により階調「７」の明るさを表示する。
【００６２】
他の階調も同様に、図６に示すコーディングに従って、それぞれのサブフィールドで、書込み動作を行うかまたは書込み動作を行わないように書込み動作を制御することにより、任意の階調を表示することができる。
【００６３】
なお、このコーディングを工夫することにより、さらに安定した書込み放電を発生させることができる。以下にその一例を、実施の形態２として説明する。
【００６４】
（実施の形態２）
本発明の実施の形態２に用いるパネル１０の構造、プラズマディスプレイ装置４０の回路ブロック図、パネル１０の各電極に印加する駆動電圧波形、サブフィールド構成は、実施の形態１と同様であるので、説明を省略する。実施の形態２が実施の形態１と異なる点は、コーディングである。
【００６５】
図７は、本発明の実施の形態２におけるコーディングを示す図である。図７において、「１」は書込み動作を行うことを示し、「０」は書込み動作を行わないことを示している。
【００６６】
実施の形態２においては、図７に示すように、フィールドのいずれかのサブフィールドで書込み動作を行う放電セルでは、そのフィールドの最初に配置されたサブフィールドであるＳＦ１でも書込み動作を行う。
【００６７】
言い換えれば、先頭のサブフィールドで書込み動作を行わなかった放電セルでは、そのフィールドに属する他のサブフィールドで書込み動作を行うことはない。
【００６８】
実施の形態２においては、このようなコーディングにより階調を表示することで、さらに安定した書込み放電を発生させて、品質の高い画像表示を実現している。
【００６９】
次に、その理由について説明する。一般に、放電が発生すると放電空間に正および負の荷電粒子が生じる。そしてこの荷電粒子が放電セルの壁に付着すると壁電圧を変化させ、放電空間内部の電界強度を変化させて放電現象に影響を与える。
【００７０】
例えば、書込み動作を行わない放電セルに隣接する放電セルで書込み放電が発生した場合、そこで発生した荷電粒子が書込み動作を行わない放電セルに飛来して壁電圧を減少させることがある。このような現象を「電荷抜け現象」と表記する。
【００７１】
そして、書込み動作に必要なデータ電極上の正の壁電圧が減少し過ぎると、それ以降に強制初期化動作を行うまでは書込み動作ができなくなる動作不良が発生して画像表示品質を低下させるおそれがあった。
【００７２】
発明者らは、全ての放電セルに高い電圧を印加して初期化放電を発生する強制初期化動作の後の書込み期間において電荷抜け現象が発生しやすいことを実験的に確認した。
【００７３】
また、維持期間の最後に走査電極に緩やかに上昇する傾斜波形電圧を印加した後、走査電極に緩やかに下降する傾斜波形電圧を印加する選択初期化動作の後の書込み期間においては電荷抜け現象が発生しにくいことも実験的に確認した。
【００７４】
さらに、パネルの高精細度化が進むにつれて電荷抜け現象が発生しやすくなることも確認した。これは、高精細度パネルでは放電セルの大きさが小さく、壁電圧を決定している壁電荷の量も少ないので、壁電荷量が僅かに減少しても壁電圧が大きく低下するためと考えることができる。
【００７５】
しかしながら、実施の形態２におけるコーディングによれば、それぞれのフィールドの先頭のサブフィールドで書込み動作を行わなかった場合には、そのフィールドの先頭のサブフィールドに続くサブフィールドでも書込み動作を行うことはない。したがって、フィールドの先頭の書込み期間において書込み動作を行わなかった放電セルの壁電圧が減少したとしても、続くサブフィールドで書込み動作を行うことはないため、表示画像に影響を与えることがない。
【００７６】
なお、図７に示したコーディングでは、例えば、階調「２」、「４」、「６」、・・・等の階調が表示できない。しかし、このような階調については、例えば誤差拡散法やディザ法を用いて画像信号処理を行えばよい。そうすることで、擬似的にこれらの階調を表示することができる。
【００７７】
なお実施の形態１、実施の形態２においては、１つのフィールドが５つのサブフィールドを有する構成を説明した。しかし、サブフィールドの数は上記に限定されるものではない。例えば、サブフィールドの数をさらに増やすことで、パネル１０に表示できる階調の数をさらに増やすことができる。また、これらの実施の形態においては、サブフィールドの輝度重みを「２」のべき乗、すなわち（１、１６、８、４、２）であるとして説明した。しかし、サブフィールドの輝度重みも上記に限定されるものではない。例えば、（１、１２、７、３、２）等として階調を決めるサブフィールドの組合せに冗長性を持たせることにより、動画擬似輪郭の発生を抑制できるコーディングが可能となる。
【００７８】
なお、実施の形態１、実施の形態２において示した具体的な各数値は、単に一例を挙げたものに過ぎない。各数値は、パネルの特性やプラズマディスプレイ装置の仕様等に合わせて、適宜最適な値に設定することが望ましい。
【産業上の利用可能性】
【００７９】
本発明は、右目用画像と左目用画像とのクロストークを抑制するとともに、書込み放電を安定させて、品質の高い立体画像を表示することができ、プラズマディスプレイ装置の駆動方法やプラズマディスプレイ装置、加えてプラズマディスプレイシステムとして有用である。
【符号の説明】
【００８０】
１０    パネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
４８    シャッタ眼鏡
４９Ｒ    右目用液晶シャッタ
４９Ｌ    左目用液晶シャッタ
【図１】
2011045923.tif 000003
【図２】
2011045923.tif 000004
【図３】
2011045923.tif 000005
【図４】
2011045923.tif 000006
【図５】
2011045923.tif 000007
【図６】
2011045923.tif 000008
【図７】
2011045923.tif 000009
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
走査電極と維持電極とデータ電極とを有する放電セルを複数配列したプラズマディスプレイパネルと、前記プラズマディスプレイパネルを駆動する駆動回路とを備えたプラズマディスプレイ装置の駆動方法であって、
複数のサブフィールドを有し右目用画像信号を表示する右目用フィールドと、複数のサブフィールドを有し左目用画像信号を表示する左目用フィールドとを交互に繰り返して右目用画像と左目用画像とを前記プラズマディスプレイパネルに交互に表示するとともに、
前記右目用フィールドおよび前記左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置し、最後のサブフィールドは前記最初のサブフィールドよりも輝度重みが大きいことを特徴とするプラズマディスプレイ装置の駆動方法。
【請求項２】
前記右目用フィールドおよび前記左目用フィールドに同期したタイミング信号を発生することを特徴とする請求項１に記載のプラズマディスプレイ装置の駆動方法。
【請求項３】
前記右目用フィールドおよび前記左目用フィールドの最初に配置されたサブフィールドの初期化期間では直前のサブフィールドの動作にかかわらず初期化放電を発生させる強制初期化動作を行い、それ以降に配置されたサブフィールドの初期化期間では直前のサブフィールドで書込み放電を行った放電セルで初期化放電を発生させる選択初期化動作を行うことを特徴とする請求項１に記載のプラズマディスプレイ装置の駆動方法。
【請求項４】
前記右目用フィールドおよび前記左目用フィールドのいずれかのフィールドにおいて、そのフィールドのいずれかのサブフィールドで書込み放電を行う放電セルでは、そのフィールドの最初に配置されたサブフィールドでも書込み放電を行うことを特徴とする請求項１に記載のプラズマディスプレイ装置の駆動方法。
【請求項５】
走査電極と維持電極とデータ電極とを有する放電セルを複数配列したプラズマディスプレイパネルと、前記プラズマディスプレイパネルを駆動する駆動回路とを備えたプラズマディスプレイ装置であって、
前記駆動回路は、複数のサブフィールドを有し右目用画像信号を表示する右目用フィールドと、複数のサブフィールドを有し左目用画像信号を表示する左目用フィールドとを交互に繰り返して右目用画像と左目用画像とを前記プラズマディスプレイパネルに交互に表示するとともに、
前記右目用フィールドおよび前記左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置し、最後に前記最初のサブフィールドよりも輝度重みが大きいサブフィールドを配置して前記プラズマディスプレイパネルに前記右目用画像および前記左目用画像を表示することを特徴とするプラズマディスプレイ装置。
【請求項６】
前記駆動回路は、前記右目用フィールドおよび前記左目用フィールドに同期したタイミング信号を出力するタイミング信号出力部を有することを特徴とする請求項５に記載のプラズマディスプレイ装置。
【請求項７】
走査電極と維持電極とデータ電極とを有する放電セルを複数配列したプラズマディスプレイパネルと、
複数のサブフィールドを有し右目用画像信号を表示する右目用フィールドと、複数のサブフィールドを有し左目用画像信号を表示する左目用フィールドとを交互に繰り返して右目用画像と左目用画像とを前記プラズマディスプレイパネルに交互に表示するとともに、前記右目用フィールドおよび前記左目用フィールドのそれぞれは、最初に輝度重みの最も小さいサブフィールドを配置し、次に輝度重みの最も大きいサブフィールドを配置し、それ以降は輝度重みが順次小さくなるようにサブフィールドを配置し、最後に前記最初のサブフィールドよりも輝度重みが大きいサブフィールドを配置して前記プラズマディスプレイパネルに前記右目用画像および前記左目用画像を表示する駆動回路と、
前記右目用フィールドおよび前記左目用フィールドに同期したタイミング信号を出力するタイミング信号出力部とを有するプラズマディスプレイ装置と、
前記タイミング信号出力部から出力された前記タイミング信号を受信する受信部と右目用シャッタおよび左目用シャッタを有し、前記タイミング信号にもとづき前記右目用シャッタおよび前記左目用シャッタを開閉するシャッタ眼鏡とを備えたことを特徴とするプラズマディスプレイシステム。
【国際調査報告】
2011045923.tif 000010
2011045923.tif 000011
2011045923.tif 000012